(57)【特許請求の範囲】
【請求項１】
リブ管と取付管と継ぎ手とを備えており、前記取付管が前記継ぎ手によって前記リブ管の穿孔部に接続されている継ぎ手構造において、
前記継ぎ手が、可とう性の継ぎ手本体と押えカバーと受けカバーとを備えており、前記継ぎ手本体が筒状部とサドル部とを有しており、前記サドル部が前記筒状部から前記穿孔部の周囲の環状リブ上に張り出しており、前記サドル部の内側に上側止水層が設けられており、前記押えカバーが貫通孔を有しており、前記受けカバーの前記リブ管の管周方向の両端に、前記サドル部によって覆われる被り部が設けられており、前記受けカバーの内側に下側止水層が設けられており、前記押えカバーと前記受けカバーとが、前記リブ管の管周方向に締め付けられており、前記筒状部が前記貫通孔から突出しており、前記筒状部が前記取付管の周囲に密着しており、前記受けカバーが下側の前記環状リブを覆っており、前記下側止水層が前記環状リブと密着しており、前記押えカバーが前記サドル部を前記被り部に密着させており、前記サドル部が上側の前記環状リブを覆っており、前記上側止水層が前記環状リブと密着しており、前記上側止水層の前記リブ管の管周方向の両端が前記被り部と密着していることを特徴とする、継ぎ手構造。
【請求項２】
前記筒状部の下端に突出部が設けられており、前記継ぎ手本体と前記穿孔部との間に、下地材が設けられており、前記下地材の中央に導入孔が設けられており、前記下地材が、前記環状リブ上に張り出している鍔部と、前記穿孔部の内側に挿入されているカラー部とを有しており、前記導入孔に前記突出部が挿入されていることを特徴とする、請求項１記載の継ぎ手構造。
【発明の詳細な説明】
【０００１】
【発明の属する技術分野】
本発明は、下水道設備に用いられる管渠の接続構造に関し、特に、地中に埋設されるリブ管と取付管とを接続する継ぎ手構造に関する。
【０００２】
【従来の技術】
工場、住宅、オフィスビル等からの排水は、下水道管渠を通じて各種処理場に集められ処理される。かかる管渠には、塩化ビニル管、鉄筋コンクリート管、陶管等が用いられている。また、近年、かかる管渠として、剛性及び軽量性に優れるプラスチック製のリブパイプも使用されている。
【０００３】
図７は、従来例のリブ管２と取付管３との接続構造３１の側面図である。図７に示すように、リブ管２と取付管３とを接続するには、硬質塩化ビニル製の専用継ぎ手３２が用いられる。
【０００４】
かかる継ぎ手３２は、サドル部３３を有し、このサドル部３３は、リブ管２の環状リブ２ａが勘合できる溝３３ａと山３３ｂとを有する。かかる継ぎ手３２とリブ管２とは、エポキシ系接着剤で接合され、番線３４で締め付けられ連結されるのが一般的である。
【０００５】
【発明が解決しようとする課題】
かかる硬質塩化ビニル製の専用継ぎ手は、継ぎ手のサドル部に設けられた溝と、接続用に開けられたリブパイプの穿孔部周辺のリブ山とを位置決めし、嵌合することによって取り付けられる。この際、嵌合部には、エポキシ系接着剤を塗布し硬化させ、剛性の接続構造が形成される。
【０００６】
かかる接続構造の場合、専用の溝付継ぎ手は、溝とリブパイプ穿孔部周辺のリブ山とが正確に合わなければ使用できないため、穿孔作業に、注意及び熟練を要する。
【０００７】
また、かかる接続構造は、エポキシ系接着剤で接合しているため、埋め戻し後の不同沈下や地震等によってリブパイプと取付管との相対的位置関係が変化すると、継ぎ手構造に可とう性がないため、継ぎ手とリブパイプとの接着部に応力が集中し、エポキシ系接着剤に剥離が生じる場合がある。このようにして形成される剥離部は、漏水や不明水の侵入の原因となる。
【０００８】
さらに、エポキシ系接着剤は、主剤と硬化剤を現地で混合し塗布するが、硬化するまで接着部を静置する必要があり、十分に硬化するまで、取付管の接続や埋め戻し作業ができない。
【０００９】
本発明は、リブ管と取付管とを可とう性の継ぎ手本体で連結し、不同沈下や地震等によって生じるリブ管と取付管との相対的位置関係の変位を、継ぎ手本体の弾性変形に吸収させることによって、継ぎ手構造の水密性を向上させることを課題とする。
【００１０】
【課題を解決するための手段】
本発明は、リブ管と取付管と継ぎ手とを備えており、前記取付管が前記継ぎ手によって前記リブ管の穿孔部に接続されている継ぎ手構造において、前記継ぎ手が、可とう性の継ぎ手本体と押えカバーと受けカバーとを備えており、前記継ぎ手本体が筒状部とサドル部とを有しており、前記サドル部が前記筒状部から前記穿孔部の周囲の環状リブ上に張り出しており、前記サドル部の内側に上側止水層が設けられており、前記押えカバーが貫通孔を有しており、前記受けカバーの前記リブ管の管周方向の両端に、前記サドル部によって覆われる被り部が設けられており、前記受けカバーの内側に下側止水層が設けられており、前記押えカバーと前記受けカバーとが、前記リブ管の管周方向に締め付けられており、前記筒状部が前記貫通孔から突出しており、前記筒状部が前記取付管の周囲に密着しており、前記受けカバーが下側の前記環状リブを覆っており、前記下側止水層が前記環状リブと密着しており、前記押えカバーが前記サドル部を前記被り部に密着させており、前記サドル部が上側の前記環状リブを覆っており、前記上側止水層が前記環状リブと密着しており、前記上側止水層の前記リブ管の管周方向の両端が前記被り部と密着していることを特徴とする、継ぎ手構造に係るものである。
【００１１】
本発明者は、リブ管と取付管との接続構造の水密性を高めるため、可とう性の継ぎ手をかかる接続構造に用いることを試み、種々の継ぎ手構造を試作し、それらについて検討した。
【００１２】
塩化ビニル管や鉄筋コンクリート管のような外周面が平滑な下水管の接続には、種々の継ぎ手が用いられる。特に、可とう性の継ぎ手を用いる場合、かかる継ぎ手は、埋設後の不同沈下や地震等によって生じる管と管との相対的位置関係の変位を吸収し、継ぎ手部に応力が集中するのを防ぎ、接合部の水密性を維持することができる。また、かかる継ぎ手は、接着工法又は機械固定工法等を用いることで、容易でしかも迅速な接続工事を可能にする。
【００１３】
しかし、本発明者の研究によれば、かかる可とう性の継ぎ手は、外周面が平滑な円形管には使用できるが、異形管であるリブ管は、環状のリブが継ぎ手と管の密着を妨げるため、そのまま使用することができないことがわかった。特に、リブ管を本管として取付管を接続する場合、可とう性の継ぎ手は、リブ管の穿孔部が複雑な形状を有するため、十分な水密性を発揮させることが困難であった。
【００１４】
かかる知見の下、本発明者は、鋭意研究し、リブ管と取付管との継ぎ手構造において、継ぎ手とリブ管との間に、弾性止水シートを介在させることを提案した（特願平１０−２６１４４７号明細書参照）。かかる弾性止水シートは、リブ管の周囲を覆い、継ぎ手とリブ管との密着を助け、継ぎ手構造に良好な止水性を発揮させる。
【００１５】
本発明者は、かかる継ぎ手構造を更に詳細に検討したところ、かかる継ぎ手構造では、漏水や不明水の浸入を招くことが見出された。
【００１６】
本発明者が研究したところ、かかる漏水や不明水の浸入の原因は、弾性止水シートが、その端部同士を重ねられることによって、重なり部を形成することにあることがわかった。
【００１７】
本発明者の研究によれば、かかる止水シートの重なり部では、境界部分が水道（みずみち）となって、水が浸入し、浸入水がシートの劣化を誘発するとともに、止水性を低下させると考えられた。特に、止水シートが弾性体からなる場合には、止水シート同士の密着性が十分に発揮されないため、重なり部の境界に水が浸入し易く、継ぎ手構造の漏水や不明水の浸入を招くのである。
【００１８】
本発明者は、かかる知見の下、継ぎ手構造の水密性を更に一層向上させるため、かかる継ぎ手構造をより一層詳細に検討した。
【００１９】
その結果、本発明者は、継ぎ手本体をリブ管に据え付けるのに用いる剛性のカバーを、受けカバーと押えカバーとに２分割し、継ぎ手本体のサドル部の内側に上側止水層を設け、受けカバーの内側に下側止水層を設け、受けカバーの両端に、サドル部によって覆われる被り部を設け、押えカバーと受けカバーとを締め付け、上側止水層と下側止水層とを環状リブに密着させることで、水密性に優れた継ぎ手構造が得られることを突き止め、本発明に到達した。
【００２０】
本発明の継ぎ手構造では、受けカバーの内側の下側止水層は、環状リブに密着しており、サドル部の内側の上側止水層は、環状リブと受けカバーの被り部とに密着している。
【００２１】
かかる継ぎ手構造では、上側止水層が受けカバーの被り部に密着しているため、下側止水層と上側止水層との間の水道が完全に塞がれ、止水性に悪影響を生じさせることがなくなり、継ぎ手構造の水密性をより一層向上させることができる。
【００２２】
本発明によれば、継ぎ手構造を埋設した後、不同沈下や地震等によってリブ管と取付管との相対的位置関係の変位が生じても、かかる変位が、継ぎ手本体の弾性変形に吸収され、リブ管と取付管との接合面に応力が集中することがなくなり、継ぎ手構造の水密性が維持される。
【００２３】
また、本発明によれば、内側に下側止水層が設けられた受けカバーの被り部が、内側に上側止水層が設けられたサドル部に覆われ、サドル部が押えカバーによってリブ管に締め付けられ、被り部が、上側止水層と下側止水層との間に挟まれ、水道が完全に塞がれた状態で、リブ管に密着するため、上側止水層と下側止水層との取り合い部の止水性が著しく向上し、継ぎ手構造の水密性がより一層良好な状態に保たれる。
【００２４】
【発明の実施の形態】
図面を参照して、本発明をより一層詳細に説明する。
図１は、本発明の一例の継ぎ手構造の部分断面正面図である。図２（ａ）は、図１の継ぎ手構造の接続部分の横断面図である。図２（ｂ）は、図２（ａ）の継ぎ手構造の部分拡大図である。図３は、図１の継ぎ手構造の接続部分の背面図である。図４は、本発明にかかる一例の継ぎ手本体の縦断面図である。図５は、本発明の一例の押えカバーと受けカバーの斜視図である。図６は、本発明にかかる一例の下地材の斜視図である。
【００２５】
図１〜３に示すように、本発明の継ぎ手構造１は、リブ管２と取付管３と継ぎ手４とを備えており、取付管３が継ぎ手４によってリブ管２の穿孔部５に接続されている。
【００２６】
本発明では、かかる継ぎ手構造１において、継ぎ手４が、可とう性の継ぎ手本体６と押えカバー７と受けカバー８とを備えている。継ぎ手本体６は、筒状部６ａとサドル部６ｂとを有し、サドル部６ｂは、筒状部６ａから穿孔部５の表面の環状リブ２ａ上に張り出している。サドル部６ｂの内側には、上側止水層９が設けられている。
【００２７】
また、本発明では、押えカバー７は、貫通孔７ａを有しており、受けカバー８のリブ管２の管周方向の両端には、サドル部６ｂによって覆われる被り部８ａが設けられている。受けカバー８の内側には、下側止水層１０が設けられている。
【００２８】
押えカバー７と受けカバー８とは、リブ管２の管周方向に締め付けられている。筒状部６ａは、貫通孔７ａから突出しており、筒状部６ａは、取付管３の接続端３ａの周囲に密着している。
【００２９】
受けカバー８は、下側の環状リブ２ｂを覆っており、下側止水層１０は、環状リブ２ｂと密着している。押えカバー７は、サドル部６ｂを被り部８ａに密着させている。サドル部６ｂは、上側の環状リブ２ｃを覆っており、上側止水層９は、環状リブ２ｃと密着している。上側止水層９のリブ管２の管周方向の上側止水層端部９ａは、被り部８ａと密着している。
【００３０】
本発明では、図４に詳細に示すような継ぎ手本体６を用いることができる。かかる継ぎ手本体６は、筒状部６ａとサドル部６ｂを有している。サドル部６ｂのリブ管２と接触する部分には、上側止水層９が設けられる。
【００３１】
また、かかる継ぎ手本体６には、蛇腹部６ｃが設けられている。蛇腹部６ｃは、筒状部６ａとサドル部６ｂとの間に設けることができ、継ぎ手本体６の可とう性を更に高めるように働かせることができる。
【００３２】
本発明では、筒状部６ａを、図１〜３に示すように、締結バンドのような締め付け具１１によって取付管３の周囲から締め付け、筒状部６ａと取付管３との密着性を高めることができる。
【００３３】
また、本発明では、図４に示すように、筒状部６ａの下端に突出部６ｄを設けることができる。かかる突出部６ｄは、継ぎ手本体６をリブ管に据え付ける場合、リブ管の穿孔部に挿入することによって、継ぎ手本体６とリブ管との位置決めを容易にすることができる。
【００３４】
かかる継ぎ手本体６は、リブ管２の穿孔部５と取付管３との間に配置される。筒状部４は、取付管３の周囲に密着され、穿孔部５に据え付けされる。サドル部６ｂは、筒状部６ａから穿孔部５の周辺に張り出している。
【００３５】
サドル部６ｂのリブ管２の側の上側止水層９は、リブ管２の穿孔部５の周辺の環状リブ２ａの頂上部及び受けカバー８の被り部８ａとに密着する。
【００３６】
本発明にかかる可とう性の継ぎ手本体は、弾性を有する種々の材質のものから形成することができる。かかる材質としては、スチレン・ブタジエンゴム、ＥＰＤＭ、クロロプレンゴム等の合成ゴム、天然ゴム及び軟質塩化ビニル樹脂、熱可塑性エラストマー等から選択することができる。
【００３７】
本発明では、図５に詳細に示すような押えカバー７や受けカバー８を用いることができる。かかる押えカバー７や受けカバー８等は、リブ管２の外周に沿うようなＵ字状の剛性カバーでよい。
【００３８】
図５に示す押えカバー７は、リブ管２の外周に沿う鞍状で、中央部に可とう性の継ぎ手本体６の筒状部６ａが通る貫通孔７ａを有する。
【００３９】
また、図５に示す受けカバー８は、Ｕ字形の剛性カバーの内周面側にリブ管２の下側の環状リブ２ｂの頂上部に接する下側止水層１０が設けられ、受けカバー８のリブ管２の管周方向の両端には、継ぎ手本体６のサドル部６ｂのリブ管２の管周方向の両端に差し込まれる被り部８ａが設けられている。
【００４０】
本発明にかかる上側止水層は、サドル部の内側に設けられ、図１及び２に示すように、リブ管の環状リブを１本以上含む幅を有する。
【００４１】
また、本発明にかかる下側止水層は、図５に示すように、受けカバーの内側の、リブ管の管周方向の両端部に設けることができる。かかる下側止水層は、上側止水層と同様に、リブ管の環状リブを１本以上含む幅を有する。また、かかる下側止水層は、所望により、受けカバーの内側全面に設けても良い。
【００４２】
図２（ｂ）に詳細に示すように、本発明にかかる上側止水層９及び下側止水層１０は、環状リブ２ａの全周の頂上部を包み込むようにして密接し、水密性を発揮する。また、上側止水層９は、上側の環状リブ２ｃと、受けカバー８の被り部８ａと、被り部８ａの被り部端部２０の下側止水層１０に密接し、水道を塞ぎ、水密性を発揮する。かかる水密性は、押さえカバーと受けカバーを連結し、締め込むことによって得られる。
【００４３】
本発明にかかる上側止水層や下側止水層は、粘着材、低硬度のゴムや塩ビ等の軟質プラスチック、水膨張性ゴム又はシーラー等を用いることができる。粘着材は、合成ゴムや天然ゴム等に、粘着付与剤、軟化剤、充填材等を添加し、テープ状又はシート状に成型することによって得ることができる。
【００４４】
本発明にかかる押えカバー及び受けカバーの外周には、それぞれ、図５に示すような連結部１２，１３及び連結受け部１４，１５を設けることができる。図５に示す押えカバー７は、リブ管の管周方向の両端に、受けカバー８と連結され、締め付けられる連結部１２，１３が設けられている。また、図５に示す受けカバー８には、被り部８ａの近傍に、押えカバーの連結部１２，１３に対応する位置に、これら連結部１２，１３に連結される連結受け部１４，１５が設けられている。
【００４５】
かかる連結部及び連結受け部は、押えカバーと受けカバーとを連結し、リブ管にサドル部を密着させるものであるため、押えカバーの連結部は、受けカバーの連結受け部に合わせた形で作成する必要がある。
【００４６】
かかる連結部と連結受け部との連結には、図５の如く、一方を、係止溝と係止突起とで嵌合させる方式とし、他方を、ボルトとナットとで締め付けるフランジ式とすることができる。また、両方ともフランジ式でも良いし、他の締め付け手段を用いても特に問題はない。
【００４７】
本発明の継ぎ手構造においては、図６に示すような下地材１６を用いることができる。かかる下地材１６は、図１及び図２に示すように、継ぎ手本体６とリブ管２の穿孔部５との間に設けることができる。
【００４８】
図６に示すように、かかる下地材１６は、中央に導入孔１６ａを有しており、上側の環状リブ２ｃ上に張り出す鍔部１６ｂと、リブ管２の穿孔部５の内側に挿入されるカラー部１６ｃとを有している。かかるカラー部１６ｃは、導入孔１６ａに沿い、リブ管２の内周面に達する長さを有している。
【００４９】
かかる下地材１６は、図１及び図２に示すように、継ぎ手本体６とリブ管２の穿孔部５との間に配置することにより、リブ管２の上側の環状リブ２ｃの頂上部とリブ管２の穿孔部５との段差部１７が覆われ、継ぎ手本体６をリブ管２に据え付けるのが容易になり、カラー部１６ｃにより、施工後の下水の流れを円滑にすることができる。
【００５０】
本発明にかかる下地材１６の鍔部１６ｂとカラー部１６ｃとは、図６に示す形状以外であっても、継ぎ手本体が納まる形状ならば問題ない。
【００５１】
本発明では、押えカバー、受けカバー及び下地材として、ステンレス鋼、防錆メッキ鋼、硬質プラスチック、繊維強化プラスチック等の材質のものを好適に使用することができる。かかる材質からなる押えカバー等は、腐食し難く、長期間の使用に耐えるので望ましい。
【００５２】
図１に示すような、本発明にかかる継ぎ手構造１を施工するには、リブ管２と取付管３とを継ぎ手４で接続するのに際し、まず、受けカバー８をリブ管２の穿孔部５の下側に、リブ管２を巻くように配置する。
【００５３】
次いで、継ぎ手本体６をリブ管２の穿孔部５に据え付ける。この際、継ぎ手本体６のサドル部６ｂのリブ管２の管周方向の両端が受けカバー８の被り部を覆うようにする。
【００５４】
その後、据え付けた継ぎ手本体６に押えカバー７を被せ、押えカバー７の連結部１２，１３と受けカバー８の連結受け部１４，１５とをそれぞれ連結し、ボルト１８やナット１９等を用い連結部と連結受け部とを締め込み、継ぎ手４とリブ管２とを密着させ、下側止水層１０を下側の環状リブ２ｂに密着させ、上側止水層９を上側の環状リブ２ｃ及び被り部８ａに密着させ、継ぎ手構造を形成する。
【００５５】
また、本発明では、筒状部６ａの下端に突出部６ｄを設けた継ぎ手本体６を用い、この継ぎ手本体６をリブ管２の穿孔部５に据え付ける前に、図６に示すような下地材１６を、カラー部１６ｃを穿孔部５に合わせて据え付けた後、継ぎ手本体６の据え付け作業を行うことができる。
【００５６】
かかる方法を用いれば、筒状部６ａの突出部６ｄを下地材１６の導入孔１６ａ内に挿入することによって、継ぎ手本体６とリブ管２の穿孔部５との正確な位置決めが容易になり、継ぎ手構造の施工性が向上する。
【００５７】
本発明の継ぎ手構造は、リブ管の環状リブと継ぎ手の溝との位置決めを必要とせず、リブ管の穿孔部に継ぎ手本体を据え付けした状態で、受けカバーを位置決めし、押えカバーをセットしたのち、受けカバーと押えカバーとの連結部を締め付け固定することにより施工することができる。
【００５８】
このように、かかる継ぎ手構造には、硬質塩化ビニル製の継ぎ手を接着剤で接続する場合のような熟練や高度の注意力が必要とならない。また、かかる継ぎ手構造では、接着剤を用いる必要がないため、集中応力によって接着剤が剥離する欠点がなく、施工も迅速で容易である。
【００５９】
【発明の効果】
本発明によれば、継ぎ手構造を埋設した後、不同沈下や地震等によってリブ管と取付管との相対的位置関係の変位が生じても、かかる変位が、継ぎ手本体の弾性変形に吸収され、リブ管と取付管との接合面に応力が集中することがなくなり、継ぎ手構造の水密性が維持される。
【００６０】
また、本発明によれば、内側に下側止水層が設けられた受けカバーの被り部が、内側に上側止水層が設けられたサドル部に覆われ、サドル部が押えカバーによってリブ管に締め付けられ、被り部が、上側止水層と下側止水層との間に挟まれ、水道が塞がれた状態で、リブ管に密着するため、上側止水層と下側止水層との取り合い部の止水性が著しく向上し、継ぎ手構造の水密性がより一層良好な状態に保たれる。
【図面の簡単な説明】
【図１】本発明の一例の継ぎ手構造の部分断面正面図である。
【図２】（ａ）は、図１の継ぎ手構造の接続部分の横断面図である。
（ｂ）は、図２（ａ）の継ぎ手構造の部分拡大図である。
【図３】図１の継ぎ手構造の背面図である。
【図４】本発明にかかる一例の継ぎ手本体の縦断面図である。
【図５】本発明にかかる一例の押えカバー及び受けカバーの斜視図である。
【図６】本発明にかかる一例の下地材の斜視図である。
【図７】従来例のリブ管の接続部の正面図である。
【符号の説明】
１  継ぎ手構造
２  リブ管
２ａ  環状リブ
２ｂ  下側環状リブ
２ｃ  上側環状リブ
３  取付管
３ａ  接続端
４  継ぎ手
５  穿孔部
６  継ぎ手本体
６ａ  筒状部
６ｂ  サドル部
６ｃ  蛇腹部
６ｄ  突出部
７  押えカバー
７ａ  貫通孔
８  受けカバー
８ａ  被り部
９  上側止水層
９ａ  上側止水層端部
１０  下側止水層
１１  締め付け具
１２，１３  連結部
１４，１５  連結受け部
１６  下地材
１６ａ  導入孔
１６ｂ  鍔部
１６ｃ  カラー部
１７  段差部
１８  ボルト
１９  ナット
２０  被り部端部
３１  接続構造
３２  専用継ぎ手
３３  サドル部
３３ａ  溝
３３ｂ  山
３４  番線
【図１】
0003559208.tif 000002
【図２】
0003559208.tif 000003
【図３】
0003559208.tif 000004
【図４】
0003559208.tif 000005
【図５】
0003559208.tif 000006
【図６】
0003559208.tif 000007
【図７】
0003559208.tif 000008